(57)【要約】【課題】本発明は、ブレーキ釈放時に制動ディスクが固定プレートに対して迅速に離れることができる電磁ディスクブレーキを提供することにある。【解決手段】本発明は、ブレーキ釈放時に制動ディスク５をアーマチュア６と固定プレート７の中間位置に変位させる変位機構（１３）を設けたのである。  このような変位機構（１３）を設けることで、ブレーキ釈放時に制動ディスク５が迅速に固定プレート７から離れるので、制動ディスク５の回転時における固定プレート７との接触時間が短縮される。その結果、ブレーキ釈放時の摩耗粉の発生も少なくなり、摩耗粉のスプライン結合部への付着堆積も殆どなくなるので、制動ディスク５が付着堆積した摩耗粉によって軸方向への移動を妨げられるのを防止することができる。【選択図】図１
2012017779.tif 000002
【特許請求の範囲】
【請求項１】
回転軸にスプライン結合する制動ディスクと、前記制動ディスクの一方側に配置されたアーマチュア及び前記制動ディスクの他方側に配置された固定プレートと、前記アーマチュアを前記固定プレート側に押圧する制動ばねと、前記アーマチュアを前記制動ばねに逆らって吸着する電磁石とを備えた電磁ディスクブレーキにおいて、ブレーキ釈放時に、前記制動ディスクを前記アーマチュアと前記固定プレートの中間位置に変位させる変位機構を回転側に設けたことを特徴とする電磁ディスクブレーキ。
【請求項２】
前記変位機構は、ブレーキ釈放時に前記固定プレートとアーマチュアとの間に位置する前記制動ディスクと接触すると共に、ブレーキ制動時には前記制動ディスクの変位によって圧縮力を受けるように構成されていることを特徴とする請求項１記載の電磁ディスクブレーキ。
【請求項３】
前記変位機構は、押圧ばねであることを特徴とする請求項２記載の電磁ディスクブレーキ。
【請求項４】
請求項１，２又は３記載の電磁ディスクブレーキを備えたことを特徴とする電動機。
【請求項５】
主ロープによって吊られた乗かごを昇降路内に設置すると共に、昇降路内に請求項４記載の電動機を設置し、かつ、前記主ロープを巻き掛ける綱車を前記電動機に連結したことを特徴とするエレベーター。
【発明の詳細な説明】
【技術分野】
【０００１】
本発明は電磁ディスクブレーキに係り、特に、制動ディスクの動作を改善した電磁ディスクブレーキに関する。
【背景技術】
【０００２】
一般的に電磁ディスクブレーキは、特許文献1に開示のように、回転軸にスプライン結合された制動ディスクをブレーキ制動時には制動ばねに押圧されたアーマチュアと固定プレートとの間で挟圧し、ブレーキ釈放時には制動ばねに逆らってアーマチュアを電磁吸引して固定プレートとの挟圧力を解くことで制動ディスクを自由にしている。
【先行技術文献】
【特許文献】
【０００３】
【特許文献１】特開２００５−１４７２６号公報
【発明の概要】
【発明が解決しようとする課題】
【０００４】
上記構成の電磁ディスクブレーキは、ブレーキ釈放時に制動ディスクからアーマチュアは瞬間的に離れるので、制動ディスクが回転し始めるときにアーマチュアとの接触摺動はないが、固定プレートからは制動ディスクは遅れて離れるので、制動ディスクが回転し始めるときに固定プレートとの接触摺動が発生し、その結果、制動ディスクの片減りを生じることがある。
【０００５】
さらに、この種電磁ディスクブレーキをエレベーターの巻上機に適用した場合には、乗かご減速時は電動機で制御され、電磁ディスクブレーキは乗かごが停止した後に機能するように構成されているので、ブレーキ制動時において制動ディスクとアーマチュアや固定プレートとの接触摺動はないが、ブレーキ釈放時における制動ディスクの回転し始めに固定プレートと制動ディスクとの接触摺動は避けられず、接触摺動による摩耗粉が制動ディスクと回転軸とのスプライン結合部に付着堆積することが散見される。その結果、制動ディスクが付着堆積した摩耗粉によって軸方向への移動を妨げられ、ブレーキ釈放後においても固定プレートと制動プレートとが接触を継続することがあった。
【０００６】
本発明の目的は、ブレーキ釈放時に制動ディスクが固定プレートに対して迅速に離れることができる電磁ディスクブレーキを提供することにある。
【課題を解決するための手段】
【０００７】
本発明は上記目的を達成するために、ブレーキ釈放時に制動ディスクをアーマチュアと固定プレートの中間位置に変位させる変位機構を設けたものである。
【０００８】
このような変位機構を設けることで、ブレーキ釈放時に制動ディスクが迅速に固定プレートから離れるので、制動ディスクの回転時における固定プレートとの接触時間が殆どなくなる。その結果、両者間の摩耗粉の発生も殆どなく、摩耗粉のスプライン結合部への付着堆積も殆どなくなるので、制動ディスクが付着堆積した摩耗粉によって軸方向への移動を妨げられるのを防止することができる。
【発明の効果】
【０００９】
以上説明したように本発明によれば、ブレーキ釈放時に制動ディスクが固定プレートに対して迅速に離れることができる電磁ディスクブレーキを得ることができる。
【図面の簡単な説明】
【００１０】
【図１】本発明による電磁ディスクブレーキのブレーキ制動時における実施の形態を示す上半分の縦断側面図。
【図２】図1に示す電磁ディスクブレーキのブレーキ釈放時を示す上半分の縦断側面図。
【図３】本発明による電磁ディスクブレーキを適用したエレベーター用巻上機を示す側面図。
【図４】図3によるエレベーター用巻上機を利用したエレベーターを示す概略縦断面図。
【発明を実施するための形態】
【００１１】
以下、本発明による電磁ディスクブレーキを図１及び図２に基づいて説明する。
【００１２】
本実施の形態による電磁ディスクブレーキ１は、回転軸２と、この回転軸２に回り止めキー３を介して固定されたスプラインハブ４と、このスプラインハブ４の外周に形成したスプライン歯４Ｔにスプライン結合されるスプライン溝５Ｇを内径側に形成した制動ディスク５と、この制動ディスク５を軸方向の両側から挟む位置に配置されたアーマチュア６及び固定プレート７と、これらアーマチュア６及び固定プレート７の前記制動ディスク５の外周部近傍に対向する位置に夫々固定されたブレーキライニング６Ｌ，７Ｌと、前記アーマチャ６を電磁吸着する電磁石１０と、前記制動ディスク５を固定プレート７側に押圧する制動ばね１１とを有している。
【００１３】
前記固定プレート７は、図示しない支持機構によって電磁石１０側に支持されており、電磁石１０との間隔が変化しないように構成されている。
【００１４】
前記電磁石１０は、固定部材に支持され、前記アーマチュア６と対向する吸着面８Ａ，８Ｂを内外径側に有する鉄心８と、この鉄心８に埋設された電磁コイル９とを有する。
【００１５】
また、前記制動ばね１１は、前記アーマチュア６に対向して前記鉄心８に設けたばね穴８Ｈに装着されて前記アーマチュア６に押圧力を付加している。
【００１６】
上記構成の電磁ディスクブレーキ１のブレーキ制動時は、図１に示すように、電磁石１０の電磁コイル９には通電されておらず、制動ばね１１のばね力によって制動ディスク５を固定プレート７側に押し付けて挟圧している。このアーマチュア６と固定プレート７との挟圧力によって制動ディスク５は固定され、その結果、制動ディスク５とスプライン結合された回転軸２もその回転を止められている。
【００１７】
他方、上記構成の電磁ディスクブレーキ１のブレーキ釈放時には、電磁石１０の電磁コイル９に通電することにより、鉄心８に磁気吸引力が発生し、制動ばね１１のばね力に逆らってアーマチュア６を吸着面８Ａ，８Ｂに吸着させる。その結果、アーマチュア６と固定プレート７との間隔が開いて制動ディスク５に作用していた挟圧力が解放されるので、制動ディスク５は自由となり、スプライン結合された回転軸２の固定も解かれて回転可能となる。
【００１８】
そして、本実施の形態においては、回転軸２と制動ディスク５との間に、ブレーキ釈放時に制動ディスク５をアーマチュア６と固定プレート７の中間位置に変位させる変位機構を設けたのである。
【００１９】
具体的には、回転側である回転軸２上のスプラインハブ４の固定プレート７側端部にばね座１２を設け、このばね座１２と制動ディスク５の内径側との間にコイル状の押圧ばね１３を設けて変位機構としたものである。
【００２０】
この変位機構の押圧ばね１３は、ブレーキ釈放時には、アーマチャ６と固定プレート７との中間に位置する制動ディスク５と接触し、ブレーキ制動時には、制動ディスク５の固定プレート７側への変位によって容易に圧縮される程度のばね力を有するものである。
【００２１】
このような変位機構を設けることで、電磁ディスクブレーキ１のブレーキ釈放時に電磁コイル９に通電されて鉄心８にアーマチュア６が吸着されると同時に、押圧ばね１３のばね力によって制動ディスク５は、アーマチャ６と固定プレート７との中間に押し出されて変位する。その結果、制動ディスク５は、ブレーキ釈放時に、アーマチュア６の電磁石１０への吸着とほぼ同時に固定プレート７から離れるので、ブレーキ釈放直後の制動ディスク５の回転し始め時に固定プレート７と接触摺動することは殆どなくなり、摺動により発生する摩耗粉のスプライン結合部への付着堆積もなくなる。したがって、制動ディスク５とスプラインハブ４との固渋はなく、長期間使用しても、ブレーキ釈放時に制動ディスクが固定プレートに対して迅速に離れることができる電磁ディスクブレーキを得ることができる。
【００２２】
ところで、以上の説明は、ばね座１２と制動ディスク５の内径側との間にコイル状の押圧ばね１３を設けた一例を説明したが、コイル状の押圧ばね１３に限らず、環状の波形ばねや環状のゴムばねとしてもよい。
【００２３】
尚、以上の説明は、電磁ディスクブレーキ１を適用できる駆動源については、回転軸２を有するものであれば特に限定されるものではないが、駆動源を電動機とした例を図３に基づいて説明する。
【００２４】
図３に示す電動機１４は、その回転軸（図示せず）の一端側に、本実施の形態による電磁ディスクブレーキ１を連結し、回転軸の他端側に、ワイヤロープ（図示せず）を巻き掛ける駆動綱車１５を連結して、巻上機１６を構成している。
【００２５】
ここで、電動機１４に従来の電磁ディスクブレーキが連結されている場合には、ブレーキ釈放直後の制動ディスクの回転し始め時に固定プレートと長時間接触するので、この接触摺動抵抗が電動機１４の負荷抵抗となり、電動機１４のトルクにリップルが発生して電動機１４の回転を不安定にする問題が生じる。
【００２６】
しかしながら、本実施の形態による電磁ディスクブレーキ１を電動機１４に連結することで、ブレーキ釈放直後の制動ディスクの回転し始める前に固定プレートとの接触が瞬間的に離れるので、電動機１４の性能を左右することはない。また、これにより巻上機を分解しての清掃作業などによる頻度を低減できるので、メンテナンス性も向上することができる。
【００２７】
次に、図３に示す巻上機１６をエレベーターに適用した例を図４に基づいて説明する。
【００２８】
建築構造物１７に形成された昇降路１８内にはガイドレール１９が立設されており、このガイドレール１９に乗かご２０が案内されている。この乗かご２０は主ロープ２１を介して吊られており、同時に、釣り合い重り２２も主ロープ２１によって吊られている。そして、昇降路１８内には、図３に示す巻上機１６が設置されており、駆動綱車１５に前記主ロープ２１を巻き掛けている。
【００２９】
このような構成において、巻上機１６を駆動することで、乗かご２０を昇降させることができる。
【００３０】
そして、エレベーターにおいては、乗かご２０の減速時は電動機１４を例えばインバータ制御することで行い、乗かご２０の停止時には電磁ディスクブレーキ１によって停止位置を保持するため、制動ディスク５の回転中にアーマチュア６と固定プレート７とで挟圧することはなく、制動ディスク５とアーマチュア６及び固定プレート７との摺動摩擦は行われない。また、ブレーキ釈放時においても、電磁石１０によるアーマチュア６の瞬時の吸着と同時に電動機１４が回転して乗かご２０を昇降させるが、本実施の形態による押圧ばね１３の作用により制動ディスク５も瞬時に固定プレート７から引き離されるので両者間に制動ディスク回転し始めによる接触摺動は殆ど行われない。このため、エレベーター装置内での異音の発生等も抑えられ、電動機性能も安定するため、エレベーターの乗り心地を向上することも可能である。
【００３１】
以上説明したように本実施の形態によれば、ブレーキ釈放時に制動ディスク５と固定プレート７との摺動接触が殆ど行われないので、制動ディスク５のスプライン結合部に摩耗粉の付着堆積はなく、長期に亘って制動ディスク５を迅速に動作させることができると共に、電動機１４に対しても余分に負荷をかけることはない。
【符号の説明】
【００３２】
１…電磁ディスクブレーキ、２…回転軸、３…回り止めキー、４…スプラインハブ、４T…スプライン歯、５…制動ディスク、５Ｇ…スプライン溝、６…アーマチュア、７…固定プレート、６Ｌ，７Ｌ…ブレーキライニング、８…鉄心、８Ａ，８Ｂ…吸着面、８Ｈ…ばね穴、９…電磁コイル、１０…電磁石、１１…制動ばね、１２…ばね座、１３…押圧ばね、１４…電動機、１５…綱車、１６…巻上機、１７…建築構造物、１８…昇降路、１９…ガイドレール、２０…乗かご、２１…主ロープ、２２…釣り合い重り。
【図１】
2012017779.tif 000003
【図２】
2012017779.tif 000004
【図３】
2012017779.tif 000005
【図４】
2012017779.tif 000006